(57)【要約】  本発明は、複数の貯蔵空間から形成された内部収納部に、薬味、食材料又は水などを入れた後に冷凍又は冷蔵保管し、必要な量だけ簡便に取り出して使用できるようにした食品用冷凍容器に関し、前記収納部の底面に突出部を形成するが、弾性、復原力及び強度を高めるために、円形の第１突出部と、その中央にドーナッツ状の突起部を構成し、前記突起部の中心に凹んで形成される溝部によって収納部の内側中心に凸状の第２突出部が形成され、冷凍状態の食物が底面に平らに接触しないので、前記底面を押して、各収納部に収容された冷凍状態の食物を壊れたり破れたりしない状態で容易に取り出すことができる食品用冷凍容器に関する。【選択図】  図１
2021533038.tif 000002
【特許請求の範囲】
【請求項１】
薬味、食材料又は水などを一定量ずつ入れた後、冷凍又は冷蔵保管するように、上部が開放され、内側に格子部（１１０）によって区画される複数の貯蔵空間から形成された収納部（１２０）が設けられている本体部（１００）と；前記本体部（１００）の上部から前記収納部（１２０）を覆い、その内部に異物が侵入することを防止する蓋部（２００）；を含んでなり、
前記収納部（１２０）に、曲率をもって前記本体部（１００）の底面側に突出した底面（１２０ａ）が弾性力をもって前記収納部（１２０）の内側に曲がったり復元可能に形成され、前記底面（１２０ａ）には、円形の第１突出部（１２１）とその中央にドーナッツ状の突起部（１２２）が構成され、前記突起部（１２２）の中心に凹んだ溝部（１２３ａ）が設けられ、前記収納部（１２０）の内側面において前記収納部（１２０）の中心部に、前記溝部（１２３ａ）と対応する位置に膨らんだ第２突出部（１２３）が形成され；
前記第１突出部（１２１）と前記突起部（１２２）は同一方向に突出し、前記第１突出部（１２１）と前記第２突出部（１２３）は反対方向に突出している、食品用冷凍容器。
【請求項２】
前記突起部（１２２）と前記第１突出部（１２１）との間における厚さよりも、前記突起部（１２２）と前記第２突出部（１２３）との間における厚さが厚く設けられる、請求項１に記載の食品用冷凍容器。
【請求項３】
前記収納部（１２０）は、前記底面（１２０ａ）の厚さ（ｔ１）よりも前記収納部（１２０）の側面（１２０ｂ）の厚さ（ｔ２）が厚く形成される、請求項２に記載の食品用冷凍容器。
【請求項４】
前記第１突出部（１２１）の外周縁の高さが前記第２突出部（１２３）の中心部よりも高い、請求項１に記載の食品用冷凍容器。
【請求項５】
前記第２突出部（１２３）の厚さ（ｂ）が前記突起部（１２２）と前記第２突出部（１２３）との間における厚さと同一である、請求項４に記載の食品用冷凍容器。
【発明の詳細な説明】
【技術分野】
【０００１】
本発明は、複数の貯蔵空間から形成された内部収納部に、薬味、食材料又は水などを入れた後、冷凍又は冷蔵保管し、必要な量だけ簡便に取り出して使用できるようにした食品用冷凍容器に関し、前記収納部の底面に突出部を形成するが、弾性、復原力及び強度を高めるために円形の第１突出部と、その中央にドーナッツ状の突起部を構成し、前記突起部の中心に凹んで形成される溝部によって収納部の内側中心に凸状の第２突出部が形成され、冷凍状態の食物が底面において広い面で連続して接触しないようにした食品用冷凍容器に関する。
【背景技術】
【０００２】
一般に、冷凍容器は、水や飲料などを入れて凍らせて使用するように提供される容器で、複数の隔室を有するプラスチック板状に提供される。このような冷凍容器は、飲料類の冷凍に適した形態と大きさの隔室を有しているため、食品類、例えば、ニンニクのみじん切りや離乳食、粥のような小容量又は大容量の食材料及び食品の冷凍容器としては不適である。しかも、比較的硬い材質からなっているため、内容物を取り出すためには容器全体をひっくり返して内容物を一括的に脱去させる方式が用いられ、隔室内の内容物を個別に取り出して使用する用途には用い難いという問題があった。
【０００３】
このような問題を解決するために、本出願人は、韓国登録特許第１０−１５１９８１９号公報で氷や飲料の他にも様々な食材料を冷凍して必要な分量だけ簡便に取り出して使用できる食品用製氷容器を出願したが、冷凍状態の食材料が受納される収納部が半球形状を有するため、引出しのために底面を押すと容易に復元されず、収納部の底面を反対方向に押して復元しなければならないという不便があった。
【０００４】
また、前記食品用製氷容器は、冷凍された状態の食材料の引出しのために底面を押す場合、食材料が壊れたり破れたりする現象が発生し、完全な状態で引き出されず、破れた状態で引き出されるという短所があった。
【先行技術文献】
【特許文献】
【０００５】
【特許文献１】韓国登録実用新案第２０−０４５１３５２号公報
【特許文献２】韓国登録特許第１０−１２４８３３７号公報
【特許文献３】韓国登録特許第１０−１５１９８１９号公報
【発明の概要】
【発明が解決しようとする課題】
【０００６】
そこで、本発明は、前記のような問題を解決するために案出されたものであり、薬味、食材料又は水などの食物を一定量ずつ入れて冷凍又は冷蔵保管するために、上部が開放され、内側が格子部によって区画される複数の貯蔵空間で形成された収納部の底面に突出部を形成するが、弾性、復原力及び強度を高めるために、円形の第１突出部と、その中央にドーナッツ状の突起部を構成し、前記突起部の中心に形成される凹んだ溝部によって収納部の内側中心に凸状の第２突出部が形成され、冷凍状態の食物が底面に平らに接触しないことにより、前記底面を押して、各収納部に収容された冷凍状態の食物を壊れたり破れたりしない状態で容易に取り出すことができる食品用冷凍容器を提供することにその目的がある。
【０００７】
本発明の他の目的は、前記収納部の底面よりも側面が厚く形成されることにより、前記底面を押したとき、前記側面が変形されず、収納部に収容された冷凍状態の食物が容易に離脱され、前記収納部に変形を加えても容易に復元されることにより、変形が残ることによって発生する不便さがない食品用冷凍容器を提供することにある。
【０００８】
本発明のさらに他の目的は、前記底面において前記突起部の厚さと第２突出部の厚さが同じであり、前記突起部と第２突出部との間における厚さよりも突起部と第２突出部の厚さが厚く形成されることにより、前記底面を押したとき、冷凍状態の食物にクラックが発生しない食品用冷凍容器を提供することにある。
【０００９】
本発明のさらに他の目的は、食物が受納保管される容器の内部底面中央部が連続して食物と接触しないようにすることにより、冷凍された食物と冷凍容器が容易に分離される食品用冷凍容器を提供することにある。
【００１０】
本発明のさらに他の目的は、食物が受納保管される容器の内部底面中央部を内側に丸く突出させてその厚さを厚くすることにより、冷凍された食物を分離させるために外部から圧力がかけられて底面に変形が加えられてもクラックが発生しない食品用冷凍容器を提供することにある。
【００１１】
本発明のさらに他の目的は、前記底面が弾性力を持って曲がるように設けられることにより、内容物を各収納部別に独立して脱去でき、各種の薬味や離乳食、粥、薬物などを１回分量ずつ冷凍保管して使用でき、使用後に残った食材料を衛生的に冷凍して保管できるだけでなく、様々な容積の収納部を有する容器が提供されることにより、ニンニクのみじん切りのような小容量の食材料から離乳食のような比較的大きい容量の食品に至るまで１回提供分ずつ冷凍保管し、必要時ごとに使用できる食品用冷凍容器を提供することにある。
【課題を解決するための手段】
【００１２】
上記の目的を達成するために、本発明は、薬味、食材料又は水などを一定量ずつ入れた後、冷凍又は冷蔵保管するように、上部が開放され、内側に格子部１１０によって区画される複数の貯蔵空間から形成された収納部１２０が設けられている本体部１００と；前記本体部１００の上部から収納部１２０を覆い、その内部に異物が侵入することを防止する蓋部２００；を含んでなり、前記収納部１２０に、曲率をもって前記本体部１００の底面側に突出した底面１２０ａが弾性力をもって前記収納部１２０の内側に曲がったり復元可能に形成され、前記底面１２０ａには、円形の第１突出部１２１とその中央にドーナッツ状の突起部１２２が構成され、前記突起部１２２の中心に凹んだ溝部１２３ａが設けられ、前記収納部１２０の内側面において前記収納部１２０の中心部に、前記溝部１２３ａと対応する位置に膨らんだ第２突出部１２３が形成され；前記第１突出部１２１と突起部１２２は同一方向に突出し、第１突出部１２１と前記第２突出部１２３は反対方向に突出している。
【００１３】
本発明において、前記突起部１２２と第１突出部１２１との間における厚さよりも突起部１２２と第２突出部１２３との間における厚さが厚く設けられる。
【００１４】
本発明において、前記収納部１２０は、前記底面１２０ａの厚さｔ１よりも前記収納部１２０の側面１２０ｂの厚さｔ２が厚く形成される。
【００１５】
本発明において、前記第１突出部１２１の外周縁の高さが前記第２突出部１２３の中心部よりも高い。
【００１６】
なお、本発明において、第２突出部１２３の厚さｂが突起部１２２と第２突出部１２３との間における厚さと同一である。
【発明の効果】
【００１７】
したがって、本発明の食品用冷凍容器は、薬味、食材料又は水などの食物を一定量ずつ入れた後、冷凍又は冷蔵保管するために上部が開放され、内側に格子部によって区画される複数の貯蔵空間から形成された収納部の底面に突出部を形成するが、弾性及び復原力、強度を高めるために、円形の第１突出部と、その中央にドーナッツ状の突起部を構成し、前記突起部の中心に形成される凹んだ溝部によって収納部の内側中心に凸状の第２突出部が形成されるので、冷凍状態の食物が底面に平らに接触せず、前記底面を押して、各収納部に収容された冷凍状態の食物を壊れたり破れたりすることなく容易に取り出すことができるという効果がある。
【００１８】
本発明の食品用冷凍容器は、前記収納部の底面よりも側面が厚く形成されるので、前記底面を押したとき、前記側面が変形されず、収納部に収容された冷凍状態の食物が容易に離脱され、前記収納部に変形を加えても容易に復元されることにより、変形が残ることによって発生する不便さがないという長所がある。
【００１９】
本発明の食品用冷凍容器は、前記底面において前記突起部の厚さと第２突出部の厚さが同じであり、前記突起部と第２突出部との間における厚さよりも突起部と第２突出部の厚さが厚く形成されるので、前記底面を押したとき、冷凍状態の食物にクラックが発生しない効果がある。
【００２０】
本発明の食品用冷凍容器は、食物が受納保管される容器の内部底面中央部が連続して食物と接触しないようになっているので、冷凍された食物と冷凍容器が容易に分離されるという効果がある。
【００２１】
本発明の食品用冷凍容器は、食物が受納保管される容器の内部底面中央部を内側に丸く突出させてその厚さを厚くしているので、冷凍された食物を分離させるために外部から圧力がかけられて底面に変形が加えられてもクラックが発生しないという長所がある。
【００２２】
本発明の食品用冷凍容器は、前記底面が弾性力を持って曲がるように設けられるので、内容物を各収納部別に独立して脱去でき、各種の薬味や離乳食、粥、薬物などを１回分量ずつ冷凍保管して使用でき、使用後に残った食材料を衛生的に冷凍して保管できるだけでなく、様々な容積の収納部を有する容器が提供されるので、ニンニクのみじん切りのような小容量の食材料から離乳食のような比較的大きい容量の食品に至るまで１回提供分ずつ冷凍保管し、必要時ごとに使用できるという長所がある。
【図面の簡単な説明】
【００２３】
【図１】本発明の実施例に係る食品用冷凍容器の本体部と蓋部が分離されている状態の斜視図である。
【図２】本発明の実施例に係る食品用冷凍容器の本体部と蓋部が結合している状態の側面図である。
【図３】本発明の実施例に係る食品用冷凍容器の本体部と蓋部が結合している状態の断面図である。
【図４】本発明の実施例に係る食品用冷凍容器の本体部と蓋部が結合している状態の側面図である。
【図５】本発明の実施例に係る食品用冷凍容器の本体部と蓋部が結合している状態を下部から見た斜視図である。
【図６】本発明の実施例に係る食品用冷凍容器の本体部と蓋部が結合している状態の平面図である。
【図７】本発明の実施例に係る食品用冷凍容器をひっくり返した状態の平面図である。
【発明を実施するための形態】
【００２４】
以下、本発明の好ましい実施例を、添付の図面を参照して当該分野における通常の知識を有する者が容易に実施できるように説明する。
【００２５】
本発明は、図１〜図７に示すように、複数の貯蔵空間に形成された内部収納部１２０に、薬味、食材料又は水などの食物を一定量ずつ入れた後に冷凍又は冷蔵保管し、必要な量だけ簡便に取り出して使用できるようにした食品用冷凍容器に関し、
【００２６】
上部が開放され、内側に格子部１１０によって区画される複数の貯蔵空間から形成された収納部１２０が設けられている本体部１００と、
【００２７】
前記本体部１００の上部から収納部１２０を覆い、その内部に異物が侵入することを防止する蓋部２００とを含んでなる。
【００２８】
前記本体部１００は容器函体で、容器蓋からなる蓋部２００を結合させて使用するものであり、格子部１１０、前記格子部１１０によって区画される複数の収納部１２０、端部１３０及び取っ手部１４０で構成され、合成樹脂材質からなり得る。
【００２９】
前記本体部１００は様々な材質で構成されてよく、ポリエチレンのように、完成品の状態で柔軟性及び弾性力を維持し、射出成形に有利で、低温に強い材質で成形されることが好ましい。
【００３０】
前記本体部１００は、薬味、食材料又は水などの食物を一定量ずつ貯蔵するように上部が開放された複数の貯蔵空間からなる収納部１２０が、横方向と縦方向に配列される格子部１１０によって格子構造をなすように形成される。
【００３１】
前記格子部１１０は、前記格子部１１０の上端一側から突出して形成され、前記収納部１２０の内容物があふれたとき、前記格子部１１０の上端を覆ったままで凍結することを防止する分離用突起１１１を有する。
【００３２】
前記分離用突起１１１は、前記収納部１２０に収容される内容物があふれて他の収納部の内容物と混ざった状態で凍ったとき、当該収納部１２０の内容物だけを脱去し難い問題点を解決するためのものであり、前記収納部１２０と他の収納部とを区分する格子部１１０の中央に一定の長さに隆起して設けられる。また、前記分離用突起１１１は、受納される食物が冷凍されつつ体積が嵩んで格子部の形状を変形させることを防止し、格子部に強い支持力を提供する。このような分離用突起１１１により、内容物（食物）が上端まで上がって冷凍されても、格子部の形状が変形されないとともに、格子部と格子部間に連結された内容物の厚さが薄くなる。
【００３３】
このように前記分離用突起１１１が設けられることにより、前記収納部１２０からあふれた食物が他の収納部における食物と混ざって冷凍されても容易に食物が分離可能な溝が形成され得る。
【００３４】
前記収納部１２０の構造は、四角形のものが連続して配列される構造を示しているが、様々な形状の格子構造も可能である。
【００３５】
前記収納部１２０の規格は、みじん切りしたショウガやニンニクなどの少量の薬味類を保管するために比較的小さく形成したり、ネギや唐辛子などを切って保管するために比較的大きく形成したりでき、消費者の趣向にしたがってその規格を変更することができる。
【００３６】
また、前記収納部１２０の規格は、それぞれの貯蔵空間が個別に形成されてもよい。
【００３７】
前記収納部１２０は、周縁に端部１３０が上方に突出形成され、両側に取っ手部１４０が突出形成てよい。
【００３８】
前記収納部１２０は、シリコン、ゴム又は合成樹脂などのように撓み可能な材質からなり、下部から外力がかけられたとき、上方に上がるように変形される第１突出部１２１が下方に突出形成され、前記第１突出部１２１に外力をかけて底面１２０ａを押して上方に膨らむ変形に対して弾性及び復原力、高い強度を有するように、前記第１突出部１２１の中央に突起部１２２、前記突起部１２２の中心に内側に凹んだ溝部１２３ａ及び前記溝部１２３ａに対応するように内部中央部が膨らんだ第２突出部１２３が形成される。
【００３９】
前記収納部１２０は、その底面１２０ａが、一般の冷凍容器とは違い、下方に膨らむように曲率を有し、前記本体部１００の底面側に突出した底面１２０ａが弾性力を有し、前記収納部１２０の内側に曲がったり復元され得るように形成されるが、前記底面１２０ａには円形の第１突出部１２１と、その中央にドーナッツ状に突出した突起部１２２が構成され、前記突起部１２２の中心に容器内側に凹んだ溝部１２３ａが設けられ、前記収納部１２０の内側面において前記収納部１２０の中心部に前記溝部１２３ａと対応する部分が膨らんだ第２突出部１２３が形成される。すなわち、第１突出部１２１と第２突出部１２３の突出方向が反対であり、第１突出部１２１と突起部１２２の突出方向が同一である。
【００４０】
図３に示すように、前記収納部１２０は、前記底面１２０ａの厚さｔ１よりも前記収納部１２０の側面１２０ｂの厚さｔ２が厚く形成されるので、前記底面１２０ａを押したときに前記側面１２０ｂが変形されず、収納部に収容された冷凍状態の食物が容易に離脱するようにし、前記収納部１２０に変形を加えても容易に復元されるようにする。
【００４１】
また、前記底面１２０ａにおいて突起部１２２の厚さａ、第２突出部１２３の厚さｂ、前記突起部１２２と第２突出部１２３との間における厚さｃが、突起部１２２と第１突出部１２１との間における厚さよりも厚く形成され、前記底面１２０ａを押して食物を冷凍容器から分離するとき、最も移動距離の多い突起部１２２の内側中央でクラックが発生しないようにする。また、突起部１２２と第２突出部１２３につながる容器内部が内側に突出することによって、食物が容器の内部底面に連続して平らに接触されず、少ない容器の変形によっても容易に食物が容器から分離されることが可能になる。
【００４２】
また、第２突出部１２３の容器内部への突出した厚さｂは、その側面である第２突出部１２３と突起部１２２との間における厚さｃと同一である。したがって、容器外部に突出した突起部１２２から容器内外に漸次上昇して第２突出部１２３と突起部１２２との間の中間程度から同じ厚さで容器内部に上昇して第２突出部１２３まで上昇して頂点に至るようになる。一方、突起部１２２の厚さであるａは、一般にｂ及びｃよりも小さなことが好ましい。これは冷凍された食物を容器と分離させるための外力がかかる箇所であり、突起部の厚さが大きくて外部に多く突出すると、押す際に痛みが感じられる。収納部が大きく形成され、突起部の他に第１突出部１２１も共に押すことができれば、突起部１２２の厚さが第２突出部の厚さよりやや大きくても構わない。
【００４３】
一方、突起部１２２から第１突出部１２１までの間の厚さよりも突起部１２２から第２突出部１２３までの間の厚さが厚く形成される。これにより、突起部から第１突出部１２１までの間は外力によって変形されやすく、突起部１２２から第２突出部１２３までの間は外力によって変形され難くなる。このような構成により、本発明の冷凍容器は、変形される距離が一番大きい容器の中心部である第２突出部１２３と突起部との間が変形されないのでクラックが少ない一方、突起部と第１突出部との間が容易に変形されるので食物と容器に変形を与えることができる。また、突起部１２２と第２突出部１２３の容器内側への突出によって円形の第１突出部１２１における連続した平らが除去され、食物の冷凍容器との強い接触が困難となり、容器から容易に分離可能である。
【００４４】
また、前記第１突出部１２１の外周縁の高さが前記第２突出部１２３の中心部よりも高い。円形の第１突出部１２１は外周縁から下方に突出し、その中央に第２突出部１２３が設けられ、第２突出部１２３から最も高く容器内に突出する。このとき、第２突出部１２３は、図３に示すように、最も高い位置であっても第１突出部１２１の外周縁の高さよりは低く形成される。第２突出部１２３は、底面中心に位置し、食物と容器が広い面積で平らに接触することを防止し、第１突出部に外力が加えられるときに食物を容易に容器から離脱可能にするが、第２突出部１２３が高すぎると、食物が第２突出部に挟まれて却って分離し難くなる。
【００４５】
前記収納部１２０は、冷凍状態の食物の脱去を助けるために、前記底面１２０ａの内側を含む内側の表面粗さが滑らかに処理されて設けられ、前記収納部１２０の内側表面が光沢を有するように表面粗さを小さく処理することによって、前記底面１２０ａを押したとき、前記収納部１２０内の冷凍状態の食物が容易に滑り落ちながら脱去可能になる。
【００４６】
また、前記収納部１２０の外側表面は表面粗さを大きく処理することによって、すなわち、肉眼で観察時に光沢が感じられない程度のレベルに処理し、前記本体部１００が手から滑り落ちることを防止できる。
【００４７】
前記本体部１００は、前記収納部１２０を囲む周縁部が前記収納部１２０よりも高く形成されて前記蓋部２００と結合する端部１３０となり、前記本体部１００の両側から延長形成される取っ手部１４０が設けられる。
【００４８】
前記取っ手部１４０の端部には垂直下方に折り曲がって延長形成される係止部１４１が設けられ、前記取っ手部１４０を持ったとき、前記取っ手部１４０が手から滑り落ちることを防止する。
【００４９】
前記取っ手部１４０の上側面一側には、前記収納部１２０の容積を表示する文字表示部（図示せず）が設けられてよく、前記文字表示部は、前記本体部１００の材質によって成形されてもよく、表面に印刷して設けられてもよい。
【００５０】
前記収納部１２０の容積は様々にすることができ、前記文字表示部（図示せず）は、前記収納部１２０の容積をｍｌ、ｍｇ又はスプーン単位で表記し、冷凍状態の食物の容量を容易に改良できるように設けられる。
【００５１】
前記蓋部２００は、周縁部が凹んで形成され、前記本体部１００の周縁部に突出して形成される端部１３０に結合時に弾性的に圧着密閉され、水や汁などが漏れないように内部を密閉させることができる。
【００５２】
前記蓋部２００は、前記収納部１２０の上部から着脱可能に前記本体部１００に結合することによって、前記収納部１２０に異物が流入することを遮断する。
【００５３】
前記蓋部２００は、前記本体部１００と同じ材質で構成され、シリコン、ゴム、合成樹脂などの材質で作製可能である。
【００５４】
前記蓋部２００は、角部の一側に、前記蓋部２００を容易に開放できるように角部の一側が延長して形成される蓋部取っ手２１０が設けられ、前記本体部１００に結合した蓋部２００を蓋部取っ手２１０を用いて容易に分離することができる。
【００５５】
本発明の食品用冷凍容器は、使用者が前記本体部１００の収納部１２０のそれぞれに、ニンニクやショウガなどをみじん切りした薬味、食材料又は水などの食物を入れ、前記蓋部２００を閉じた後、冷凍又は冷蔵室で保管でき、必要時に、前記収納部１２０の底面１２０ａを押して容易に食物を取り出し使用することができる。
【００５６】
このとき、前記収納部１２０に収容される食物は、前記収納部１２０の側壁を形成する前記格子部１１０の上端面まで収容されても蓋部２００を閉じて密閉させることができ、前記蓋部２００は、前記本体部１００の周縁に設けられる端部１３０に結合して、前記収納部１２０に受納された食物を外気から遮断することができる。すなわち、格子部の間に設けられる分離用突起１１１によって、食物が上端部まで上がり、冷凍時に体積が大きくなって格子部に圧力が加えられてもバランスが維持でき、格子部と格子部に連結された食物も容易に分離することができる。
【００５７】
使用者は、前記蓋部２００を覆った前記本体部１００を複数備え、それらを上方に積載することによって冷凍室の空間を効率的に用いることができる。
【００５８】
前記蓋部２００を閉じた前記本体部１００を冷凍室に入れて冷凍させると、使用者は必要時に、前記本体部１００を取り出して前記蓋部２００を開き、冷凍状態の食物を取り出して使用することができる。
【００５９】
使用者は、前記本体部１００の両側に設けられる取っ手部１４０をとって前記本体部１００を冷凍室から取り出し、前記取っ手部１４０はその端部に係止部１４１が形成されることにより、使用者が容易に前記取っ手部１４０を握ることができる他、手からの滑り落ちを防止し、安定に本体部１００を移動させることができる。
【００６０】
使用者は、冷凍された食材料を前記収納部１２０から取り出すために、前記収納部１２０の底面１２０ａを前記収納部１２０の内側に押して冷凍状態の食物が前記収納部１２０から脱去するようにし、前記底面１２０ａは、前記収納部１２０の側面１２０ｂに比べてその厚さが薄く形成されることにより、使用者が力を加えたとき、前記底面１２０ａは容易に押され、側面１２０ｂは形状を維持するので、前記収納部１２０の内容物が容易に脱去可能になる。
【００６１】
一方、前記収納部１２０に収容された食物が冷凍過程で体積が増加しながら前記収納部１２０からはみ出されて他の収納部の内容物につながったまま冷凍され、使用者が前記収納部１２０の底面１２０ａを押したとき、所望の収納部中の食物だけでなく周辺の食物まで一塊として脱去されることがあるが、このとき、前記格子部１１０の上側面に設けられた分離用突起１１１によって内容物が部分的に分離して凍結されるので、使用者が、連結して凍結されている内容物を容易に分離することができる。
【００６２】
冷凍状態の食物が分離された後、前記収納部１２０の底面１２０ａは弾性力によって本来の形態に戻り、その後、前記蓋部２００を閉じ、残っている食物を衛生的に冷凍室に保管することができる。
【００６３】
したがって、本発明の食品用冷凍容器は、薬味、食材料又は水などの食物を一定量ずつ入れた後、冷凍又は冷蔵保管するために上部が開放され、内側に格子部１１０によって区画される複数の貯蔵空間から形成された収納部１２０の底面１２０ａに突出部を形成するが、弾性及び復原力、強度を高めるために、円形の第１突出部１２１と、その中央にドーナッツ状の突起部１２２を構成し、前記突起部１２２の中心に形成される凹んだ溝部１２３ａによって収納部の内側中心に凸状の第２突出部１２３が形成されるので、冷凍状態の食物が底面１２０ａに平らに接触せず、前記底面１２０ａを押して、各収納部１２０に収容された冷凍状態の食物を壊れたり破れたりすることなく容易に取り出すことができるという効果がある。
【００６４】
本発明の食品用冷凍容器は、前記収納部１２０の底面１２０ａよりも側面１２０ｂが厚く形成されるので、前記底面１２０ａを押したとき、前記側面１２０ｂが変形されず、収納部１２０に収容された冷凍状態の食物が容易に離脱され、前記収納部１２０に変形を加えても容易に復元されることにより、変形が残ることによって発生する不便さがないという長所がある。
【００６５】
本発明の食品用冷凍容器は、前記底面１２０ａにおいて前記突起部１２２の厚さと第２突出部１２３の厚さが同じであり、前記突起部１２２と第２突出部１２３との間における厚さよりも突起部１２２と第２突出部１２３の厚さが厚く形成されることにより、前記底面１２０ａを押したとき、冷凍状態の食物にクラックが発生しない効果がある。
【００６６】
本発明の食品用冷凍容器は、前記底面１２０ａが弾性力を持って曲がるように設けられることにより、内容物を各収納部１２０別に独立して脱去でき、各種の薬味や離乳食、粥、薬物などを１回分量ずつ冷凍保管して使用でき、使用後に残った食材料を衛生的に冷凍して保管できるだけでなく、様々な容積の収納部１２０を有する容器が提供されることにより、ニンニクのみじん切りのような小容量の食材料から離乳食のような比較的大きい容量の食品に至るまで１回提供分ずつ冷凍保管し、必要時ごとに使用できるという長所がある。
【符号の説明】
【００６７】
１００    本体部
１１０    格子部
１１１    分離用突起
１２０    収納部
１２０ａ  底面
１２０ｂ  側面
１２１    第１突出部
１２２    突起部
１２３    第２突出部
１２３ａ  溝部
１３０    端部
１４０    取っ手部
１４１    係止部
２００    蓋部
２１０    蓋部取っ手
【図１】
2021533038.tif 000003
【図２】
2021533038.tif 000004
【図３】
2021533038.tif 000005
【図４】
2021533038.tif 000006
【図５】
2021533038.tif 000007
【図６】
2021533038.tif 000008
【図７】
2021533038.tif 000009
【国際調査報告】
2021533038.tif 000010
2021533038.tif 000011
2021533038.tif 000012
2021533038.tif 000013